(57)【要約】【課題】直交変調器において、ＩＱ不整合を補償する技術を提供する。【解決手段】予め定められた位相差を有する第１信号および第２信号を生成する信号生成装置であって、被変更信号を受け取り、被変更信号のバイアスレベルを、第１信号および第２信号が有するべき位相差に応じて調整するバイアス調整部と、バイアス調整部によりバイアスレベルが調整された被変更信号の論理値の変化点の間隔に応じた位相差を有する第１信号および第２信号を出力する信号出力部と、を備える信号生成装置を提供する。【選択図】図１
2009105508.tif 000002
【特許請求の範囲】
【請求項１】
予め定められた位相差を有する第１信号および第２信号を生成する信号生成装置であって、
被変更信号を受け取り、前記被変更信号のバイアスレベルを、前記第１信号および第２信号が有するべき位相差に応じて調整するバイアス調整部と、
前記バイアス調整部によりバイアスレベルが調整された前記被変更信号の論理値の変化点の間隔に応じた位相差を有する前記第１信号および前記第２信号を出力する信号出力部と、
を備える信号生成装置。
【請求項２】
前記バイアス調整部は、差動信号を受け取り、前記差動信号の反転側または非反転側の少なくとも一方のバイアスレベルを、前記第１信号および第２信号が有するべき位相差に応じて調整し、
前記信号出力部は、前記バイアス調整部によりバイアスレベルが調整された前記差動信号のクロスポイントの間隔に応じた位相差を有する前記第１信号および前記第２信号を出力する、
請求項１に記載の信号生成装置。
【請求項３】
前記信号出力部は、前記バイアス調整部によりバイアスレベルが調整された前記差動信号の奇数番目のクロスポイントに応じて値が遷移する信号を前記第１信号として出力し、偶数番目のクロスポイントに応じて値が遷移する信号を前記第２信号として出力する、
請求項２に記載の信号生成装置。
【請求項４】
前記信号出力部は、前記バイアス調整部によりバイアスレベルが調整された前記差動信号を、前記差動信号のクロスポイントに応じたエッジを有する第３信号に変換する信号変換部を更に有し、
前記信号出力部は、前記第３信号の立ち上がりエッジに応じて値が遷移する信号を前記第１信号として出力し、前記第３信号の立ち下がりエッジに応じて値が遷移する信号を前記第２信号として出力する、
請求項３に記載の信号生成装置。
【請求項５】
前記信号出力部は、
前記第３信号の立ち下がりエッジまたは立ち上がりエッジのいずれか一方に応じて入力信号の値を取り込み、前記第１信号として出力する第１ラッチと、
前記第３信号の立ち下がりエッジまたは立ち上がりエッジのうち、前記第１ラッチとは異なるエッジに応じて、前記第１ラッチが出力する前記第１信号の反転信号の値を取り込み、前記第２信号として出力する第２ラッチと、
前記第２ラッチが出力する前記第２信号を、前記入力信号として前記第１ラッチに入力するループ経路と、
を有する請求項４に記載の信号生成装置。
【請求項６】
前記信号出力部が出力する前記第１信号および前記第２信号の位相差を検出する位相差検出部を更に備え、
前記バイアス調整部は、前記位相差検出部が検出した位相差に基づいて、前記バイアスレベルを調整する、
請求項１に記載の信号生成装置。
【請求項７】
前記バイアス調整部は、シングルエンド信号を受け取り、前記シングルエンド信号のバイアスレベルを、前記第１信号および第２信号が有するべき位相差に応じて調整し、
前記信号出力部は、前記バイアス調整部によりバイアスレベルが調整された前記シングルエンド信号と予めレベルを定めたＤＣレベルとのクロスポイントの間隔に応じた位相差を有する前記第１信号および前記第２信号を出力する、
請求項１に記載の信号生成装置。
【請求項８】
入力信号を直交変調する直交変調器であって、
互いに位相が９０度異なる第１ローカル信号および第２ローカル信号を生成するローカル信号生成部と、
前記第１ローカル信号および前記入力信号を乗算する第１乗算部と、
前記第２ローカル信号および前記入力信号を乗算する第２乗算部と、
前記第１乗算部および前記第２乗算部が出力する信号を合成する合成部と、
を備え、
前記ローカル信号生成部は、
被変更信号を受け取り、前記被変更信号のバイアスレベルを、前記被変更信号のデューティー比が略５０％となる値に調整するバイアス調整部と、
前記バイアス調整部によりバイアスレベルが調整された前記被変更信号の論理値の変化点の間隔に応じた位相差を有する前記第１ローカル信号および前記第２ローカル信号を出力する信号出力部と、
を有する直交変調器。
【請求項９】
前記バイアス調整部によりバイアスレベルが調整された前記被変更信号のデューティー比と、５０％との差分を検出するデューティー比検出部を更に備え、
前記バイアス調整部は、前記デューティー比検出部が検出した差分に基づいて、前記バイアスレベルを調整する、
請求項８に記載の直交変調器。
【請求項１０】
入力信号を直交復調する直交復調器であって、
互いに位相が９０度異なる第１ローカル信号および第２ローカル信号を生成するローカル信号生成部と、
前記第１ローカル信号および前記入力信号を乗算する第１乗算部と、
前記第２ローカル信号および前記入力信号を乗算する第２乗算部と、
を備え、
前記ローカル信号生成部は、
被変更信号を受け取り、前記被変更信号のバイアスレベルを制御することにより、前記被変更信号のデューティー比を略５０％に調整するバイアス調整部と、
前記バイアス調整部によりバイアスレベルが調整された前記被変更信号の論理値の変化点の間隔に応じた位相差を有する前記第１ローカル信号および前記第２ローカル信号を出力する信号出力部と、
を有する直交復調器。
【発明の詳細な説明】
【技術分野】
【０００１】
本発明は、信号生成装置、直交変調器および直交復調器に関する。本発明は、特に、位相差を調整して第１信号および第２信号を生成できる信号生成装置、直交変調器および直交復調器に関する。
【背景技術】
【０００２】
たとえば、特許文献１に記載の通り、差動の伝送系を通過するパルス信号において通過するパルスのパルス幅を可変可能とする差動伝送回路、これを用いるパルス幅可変回路が知られている。当該特許文献１の差動伝送回路では、単一若しくは差動の入力パルス信号を受けて正負の差動信号に変換して出力する差動ドライバと、差動ドライバからの差動信号を正負の差動の両受信端で受けて、単一若しくは差動の出力パルスを出力する差動レシーバとを備える。さらに当該差動伝送回路は、差動レシーバの正負の両受信端の受信波形である正側受信波形と負側受信波形の一方若しくは両方の静的電圧レベルを所定電圧レベルにシフトさせて通過する入力パルス信号の両受信波形がクロスするクロスポイントのタイミング位置を移動させるクロスポイント可変手段を備える。
【特許文献１】特開２００１−０６０８５４号公報
【発明の開示】
【発明が解決しようとする課題】
【０００３】
直交変調器において、ベクトル変調信号の各直交成分ＩとＱに誤差、不整合あるいはミスマッチがある場合、変調精度が低下する。変調精度の低下は伝送エラーを生じる可能性が高くなり好ましくない。よって、直交変調器において、ＩＱ不整合を補償する技術が望まれる。
【０００４】
また、信号発生装置において、矩形波信号のデューティー比を５０％からずらすと、２次高調波が増加して３次高調波が減少する。矩形波信号のデューティー比を変えることにより、信号の高調波成分を制御することが可能になる。よって、矩形波信号のデューティー比を簡便に変化できる技術が望まれる。
【課題を解決するための手段】
【０００５】
上記課題を解決するために、本発明の第１の形態においては、予め定められた位相差を有する第１信号および第２信号を生成する信号生成装置であって、被変更信号を受け取り、被変更信号のバイアスレベルを、第１信号および第２信号が有するべき位相差に応じて調整するバイアス調整部と、バイアス調整部によりバイアスレベルが調整された被変更信号の論理値の変化点の間隔に応じた位相差を有する第１信号および第２信号を出力する信号出力部と、を備える信号生成装置を提供する。
【０００６】
なお、上記の発明の概要は、本発明の必要な特徴の全てを列挙したものではない。また、これらの特徴群のサブコンビネーションもまた、発明となりうる。
【発明を実施するための最良の形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態の信号生成装置１０１の機能構成例を示す。信号生成装置１０１は、たとえば９０度等の予め定められた位相差を有する第１信号Ｓ１および第２信号Ｓ２を生成する。そして信号生成装置１０１は、この位相差を調整可能とする。
【０００９】
信号生成装置１０１は、バイアス調整部１０２と、信号出力部１０４とを備える。信号出力部１０４は、信号変換部１０６と、第１ラッチ１０８と、第２ラッチ１１０と、ループ経路１１２とを有する。信号生成装置１０１は、さらに位相差検出部１１４を備える。
【００１０】
バイアス調整部１０２は、被変更信号を受け取り、被変更信号のバイアスレベルを、第１信号および第２信号が有するべき位相差に応じて調整する。被変更信号は、バイアス調整部１０２によって変更される信号であってよく、たとえば差動信号またはシングルエンド信号とすることができる。以下被変更信号が差動信号である場合について主に説明する。
【００１１】
被変更信号が差動信号である場合、バイアス調整部１０２は、差動信号を受け取り、差動信号の反転側信号Ｓｎまたは非反転側信号Ｓｐの少なくとも一方のバイアスレベルを、第１信号Ｓ１および第２信号Ｓ２が有するべき位相差に応じて調整する。たとえばバイアス調整部１０２は、差動信号の反転側信号Ｓｎに直流バイアスを印加して、バイアスレベルが調整された差動信号の反転側信号Ｓｎ'を生成できる。これによりバイアス調整部１０２は、反転側信号Ｓｎと非反転側信号Ｓｐとのクロスポイントを時間軸方向にシフトできる。すなわち、反転側信号Ｓｎと非反転側信号Ｓｐとのクロスポイントを、調整された反転側信号Ｓｎ'と非反転側信号Ｓｐとのクロスポイントにシフトできる。バイアス調整部１０２は、バイアスレベルが調整された差動信号の反転側信号Ｓｎ'と非反転側信号Ｓｐとを信号出力部１０４の信号変換部１０６に供給する。
【００１２】
被変更信号が差動信号である場合、バイアス調整部１０２は、シングルエンド信号を受け取り、シングルエンド信号のバイアスレベルを、第１信号Ｓ１および第２信号Ｓ２が有するべき位相差に応じて調整できる。たとえばバイアス調整部１０２は、シングルエンド信号に直流バイアスを印加して、バイアスレベルが調整されたシングルエンド信号を生成できる。シングルエンド信号がスルーレートの低い矩形波あるいは正弦波である場合には、既定のＤＣレベルとのクロスポイントを時間軸方向にシフトできる。
【００１３】
信号出力部１０４は、バイアス調整部１０２によりバイアスレベルが調整された被変更信号の論理値の変化点の間隔に応じた位相差を有する第１信号Ｓ１および前記第２信号Ｓ２を出力する。被変更信号が差動信号である場合、論理値の変化としてクロスポイントが例示できる。被変更信号がシングルエンド信号である場合、論理値の変化は正論理から負論理への変化またはその逆の変化であってよい。
【００１４】
被変更信号が差動信号である場合、信号出力部１０４は、バイアス調整部１０２によりバイアスレベルが調整された差動信号の、たとえば反転側信号Ｓｎ'と非反転側信号Ｓｐとのクロスポイントの間隔に応じた位相差を有する第１信号Ｓ１および第２信号Ｓ２を出力する。信号出力部１０４は、バイアス調整部１０２によりバイアスレベルが調整された差動信号の、たとえば反転側信号Ｓｎ'と非反転側信号Ｓｐとの奇数番目のクロスポイントに応じて値が遷移する信号を第１信号Ｓ１として出力できる。そして信号出力部１０４は、偶数番目のクロスポイントに応じて値が遷移する信号を第２信号Ｓ２として出力できる。なお、被変更信号がシングルエンド信号である場合、信号出力部１０４は、バイアス調整部１０２によりバイアスレベルが調整されたシングルエンド信号と予めレベルを定めたＤＣレベルとのクロスポイントの間隔に応じた位相差を有する第１信号Ｓ１および第２信号Ｓ２を出力できる。
【００１５】
信号変換部１０６は、バイアス調整部１０２によりバイアスレベルが調整された差動信号（反転側信号Ｓｎ'および非反転側信号Ｓｐ）を、差動信号のクロスポイントに応じたエッジを有する第３信号Ｓｓｅに変換する。第３信号としては、シングルエンド信号を例示できる。信号出力部１０４は、第３信号Ｓｓｅの立ち上がりエッジに応じて値が遷移する信号を第１信号Ｓ１として出力して、シングルエンド信号の立ち下がりエッジに応じて値が遷移する信号を第２信号Ｓ２として出力する。
【００１６】
第１ラッチ１０８は、第３信号Ｓｓｅの立ち下がりエッジまたは立ち上がりエッジのいずれか一方に応じて、入力Ｄに入力される入力信号の値を取り込む。そして第１ラッチ１０８は、出力Ｑからの出力を第１信号Ｓ１として出力する。第３信号Ｓｓｅは、第１ラッチ１０８のクロック入力ＣＬＫに入力されてもよい。
【００１７】
第２ラッチ１１０は、第３信号Ｓｓｅの立ち下がりエッジまたは立ち上がりエッジのうち、第１ラッチ１０８とは異なるエッジに応じて、第１ラッチ１０８の反転出力Ｑバーが出力する、第１信号Ｓ１の反転信号の値を入力Ｄに取り込む。そして第２ラッチ１１０は、出力Ｑからの出力を第２信号Ｓ２として出力する。第３信号Ｓｓｅの反転信号は、第２ラッチ１１０のクロック入力ＣＬＫに入力されてもよい。第１ラッチ１０８および第２ラッチ１１０を組み合わせてＤ型フリップフロップとすることができる。
【００１８】
ループ経路１１２は、第２ラッチ１１０の出力Ｑから出力する第２信号Ｓ２を、入力信号として第１ラッチ１０８の入力Ｄに入力する。ループ経路１１２によって第２信号Ｓ２を第１ラッチ１０８に入力することにより、差動信号の奇数番目のクロスポイントに応じて値が遷移する信号を第１信号Ｓ１として出力でき、偶数番目のクロスポイントに応じて値が遷移する信号を第２信号Ｓ２として出力できる。
【００１９】
位相差検出部１１４は、信号出力部１０４が出力する第１信号Ｓ１および第２信号Ｓ２の位相差を検出する。位相差検出部１１４で検出した位相差を受けて、バイアス調整部１０２は、位相差検出部１１４が検出した位相差に基づいて、バイアスレベルを調整できる。
【００２０】
なお、前記の説明では第３信号としてシングルエンド信号の場合を例示した。しかし、第３信号は差動信号であってもよい。第３信号が差動信号である場合、差動信号の反転信号前記第１ラッチ１０８および第２ラッチ１１０に入力できる。
【００２１】
図２は、バイアス調整部１０２の回路構成例を示す。差動信号の非反転側信号Ｓｐは、抵抗Ｒ１および抵抗Ｒ２を介して電源電圧Ｖｃｃに接続される。差動信号の反転側信号Ｓｎは、抵抗Ｒ３および抵抗Ｒ４を介して電源電圧Ｖｃｃに接続され、抵抗Ｒ３および抵抗Ｒ４の中点Ｐには、抵抗Ｒ５を介してバイアスレベル調整信号Ｓａが印加される。バイアスレベル調整信号Ｓａと電源電圧Ｖｃｃとの間はコンデンサＣで接続される。
【００２２】
図２の回路構成例において、抵抗Ｒ１および抵抗Ｒ３、抵抗Ｒ２および抵抗Ｒ４の抵抗値は同じにすることができる。抵抗Ｒ５の値を抵抗Ｒ１〜Ｒ４の値より十分大きくして、バイアスレベル調整信号Ｓａに電圧を加えない場合、抵抗Ｒ１と抵抗Ｒ３および抵抗Ｒ２と抵抗Ｒ４はバランスしているから、差動信号の非反転側信号Ｓｐおよび反転側信号Ｓｎのバイアスレベルは同じになる。
【００２３】
バイアスレベル調整信号Ｓａに電圧を加えると、抵抗Ｒ５を介したバイアスレベル調整信号Ｓａの電圧によって中点Ｐの電圧が変化して、抵抗Ｒ１と抵抗Ｒ３および抵抗Ｒ２と抵抗Ｒ４に加わる電圧のバランスが崩れ、反転側信号Ｓｎのバイアスレベルは非反転信号Ｓｐのバイアスレベルに対して変化する。よって、バイアス調整部１０２は、バイアスレベル制御信号Ｓａに電圧を加えることにより、その電圧値に応じて、差動信号（反転側信号Ｓｎおよび非反転側信号Ｓｐ）のバイアスレベルを調整できる。
【００２４】
図３は、信号生成装置１０１における各信号のタイミング例として、差動信号の反転側信号Ｓｎ、非反転側信号Ｓｐ、第３信号Ｓｓｅ、第１信号Ｓ１および第２信号Ｓ２の時間変化を示す。以下の説明では、差動信号の反転側信号Ｓｎのバイアスレベルを調整した場合を説明する。しかし、バイアスレベルの調整は差動信号の非反転側信号Ｓｐに対しても実施することが可能であり、反転側信号Ｓｎおよび非反転側信号Ｓｐの両方に対して実施することもできる。
【００２５】
バイアス調整部１０２は、差動信号の反転側信号Ｓｎにマイナスの直流バイアスを印加することにより、反転側信号Ｓｎのバイアスレベルをマイナス側にシフトさせ、信号Ｓｎ−に変化させることができる。逆にバイアス調整部１０２は、差動信号の反転側信号Ｓｎにプラスの直流バイアスを印加することにより、反転側信号Ｓｎのバイアスレベルがプラス側にシフトさせ、信号Ｓｎ＋に変化させることができる。これによりバイアス調整部１０２は、差動信号の非反転側信号Ｓｐとのクロスポイントを時間軸方向にシフトさせることができる。すなわち、バイアスレベルを調整しない場合の非反転区間Ｔｐ０は、バイアスレベルをマイナス側にシフトさせたときにＴｐ−に拡大され、バイアスレベルをプラス側にシフトさせたときにＴｐ＋に縮小される。一方、バイアスレベルを調整しない場合の反転区間Ｔｎ０は、バイアスレベルをマイナス側にシフトさせたときにＴｎ−に縮小され、バイアスレベルをプラス側にシフトさせたときにＴｎ＋に拡大される。
【００２６】
信号変換部１０６は、差動信号のクロスポイントが検出されたときに値が反転する第３信号Ｓｓｅを出力することにより、差動信号のクロスポイントの変化すなわちバイアスレベルの調整に応じて、デューティー比が変化する第３信号Ｓｓｅを出力することができる。信号出力部１０４すなわち第１ラッチ１０８および第２ラッチ１１０は、第３信号Ｓｓｅの奇数番目のエッジ（立ち上がり）のタイミングで第１信号Ｓ１の値を遷移させ、偶数番目のエッジ（立ち下がり）で第２信号Ｓ２の値を遷移させる。よって、第１信号Ｓ１と第２信号Ｓ２との位相差を略９０度を中心にして調整することができる。なお、信号変換部１０６は、差動信号のバイアスレベルの調整によってデューティー比が変化する第３信号Ｓｓｅを生成するから、バイアスレベルの調整により、矩形波信号の一例であってよい第３信号Ｓｓｅの高調波成分を制御できる。
【００２７】
本実施形態の信号生成装置１０１によれば、差動信号のバイアスレベルを調整することにより、出力信号である第１信号Ｓ１と第２信号Ｓ２との位相差を調整できる。なお、上記した実施形態では、差動信号としてスルーレートの低い矩形波を例示したが、正弦波を提供することもできる。また、前記実施形態では、位相差検出部１１４によって第１信号Ｓ１と第２信号Ｓ２との位相差を検出して、バイアスレベルを調整する例を示しているが、事前にバイアスレベルと位相差との関係を測定して、任意の位相差に調整されるようバイアスレベルを調整およびプリセットすることもできる。
【００２８】
図４は、信号生成装置１０１を適用した直交変調器２０１の機能構成例を示す。直交変調器２０１は、Ｉ成分入力信号ＩＮｉおよびＱ成分入力信号ＩＮｑを直交変調する。直交変調器２０１は、ローカル信号生成部２０２と、バイアス調整部２０４および信号出力部２０６と、第１乗算部２０８と、第２乗算部２１０と、合成部２１２と、デューティー比検出部２１４とを備える。
【００２９】
ローカル信号生成部２０２は、互いに位相が９０度異なる第１ローカル信号ＬＳ１および第２ローカル信号ＬＳ２を生成する。ローカル信号生成部２０２に有するバイアス調整部２０４は、差動信号（反転側信号Ｓｎおよび非反転側信号Ｓｐ）を受け取り、差動信号の反転側信号Ｓｎまたは非反転側信号Ｓｐの少なくとも一方のバイアスレベルを、差動信号のデューティー比が略５０％となる値に調整する。ローカル信号生成部２０２に有する信号出力部２０６は、バイアス調整部２０４によりバイアスレベルが調整された差動信号（反転側信号Ｓｎ'および非反転側信号Ｓｐ）のクロスポイントの間隔に応じた位相差を有する第１ローカル信号ＬＳ１および第２ローカル信号ＬＳ２を出力する。これら第１ローカル信号ＬＳ１および第２ローカル信号ＬＳ２の生成には前記した信号生成装置１０１が適用できることは言うまでもない。
【００３０】
第１乗算部２０８は、第１ローカル信号ＬＳ１およびＩ成分入力信号ＩＮｉを乗算する。第２乗算部２１０は、第２ローカル信号ＬＳ２およびＱ成分入力信号ＩＮｑを乗算する。合成部２１２は、第１乗算部２０８および第２乗算部２１０が出力する信号を合成する。これら第１乗算部２０８、第２乗算部２１０および合成部２１２の動作はたとえばＱＰＳＫ（Ｑｕａｄｒａｔｕｒｅ  Ｐｈａｓｅ  Ｓｈｉｆｔ  Ｋｅｙｉｎｇ）としてよく知られており、当該部材の動作によって入力信号（Ｉ成分入力信号ＩＮｉおよびＱ成分入力信号ＩＮｑ）がデジタル変調される。
【００３１】
デューティー比検出部２１４は、バイアス調整部２０４によりバイアスレベルが調整された差動信号（反転側信号Ｓｎ'および非反転側信号Ｓｐ）のデューティー比と、５０％との差分を検出する。このとき、バイアス調整部２０４は、デューティー比検出部２１４が検出した差分に基づいて、バイアスレベルを調整できる。
【００３２】
直交変調器２０１により、入力信号ＩＮをデジタル変調できる。ここで、入力信号ＩＮのＩ成分とＱ成分とに不整合がある場合でも、第１ローカル信号ＬＳ１と第２ローカル信号ＬＳ２との位相差を調整してＩＱ不整合を補償できる場合がある。この結果、デジタル変調の変調精度を向上できる場合がある。
【００３３】
図５は、信号生成装置１０１を適用した直交復調器３０１の機能構成例を示す。直交復調器３０１は、入力信号ＩＮを直交復調してＩ成分出力信号ＯＵＴｉおよびＱ成分出力信号ＯＵＴｑを出力する。直交復調器３０１は、バイアス調整部３０４および信号出力部３０６を有するローカル信号生成部３０２と、第１乗算部３０８と、第２乗算部３１０とを備える。
【００３４】
ローカル信号生成部３０２は、互いに位相が９０度異なる第１ローカル信号ＬＳ１および第２ローカル信号ＬＳ２を生成する。バイアス調整部３０４は、差動信号（反転側信号Ｓｎおよび非反転側信号Ｓｐ）を受け取り、差動信号の反転側信号Ｓｎまたは非反転側信号Ｓｐの少なくとも一方のバイアスレベルを制御することにより、差動信号のデューティー比を略５０％に調整する。信号出力部３０６は、バイアス調整部３０４によりバイアスレベルが調整された差動信号（反転側信号Ｓｎ'および非反転側信号Ｓｐ）のクロスポイントの間隔に応じた位相差を有する第１ローカル信号ＬＳ１および第２ローカル信号ＬＳ２を出力する。
【００３５】
第１乗算部３０８は、第１ローカル信号ＬＳ１および入力信号ＩＮを乗算して、Ｉ成分出力信号ＯＵＴｉを出力する。第２乗算部３１０は、第２ローカル信号ＬＳ２および入力信号ＩＮを乗算して、Ｑ成分出力信号ＯＵＴｑを出力する。これら第１乗算部３０８および第２乗算部３１０の動作は、たとえばＱＰＳＫとしてよく知られており、当該部材の動作によって入力信号ＩＮがデジタル復調される。直交復調器３０１によれば、直交変調器２０１で変調された信号をデジタル復調することができる。
【００３６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３７】
【図１】本実施形態の信号生成装置１０１の機能構成例を示す。
【図２】バイアス調整部１０２の回路構成例を示す。
【図３】信号生成装置１０１における各信号のタイミング例を示す。
【図４】信号生成装置１０１を適用できる直交変調器２０１の機能構成例を示す。
【図５】信号生成装置１０１を適用できる直交復調器３０１の機能構成例を示す。
【符号の説明】
【００３８】
１０１  信号生成装置
１０２  バイアス調整部
１０４  信号出力部
１０６  信号変換部
１０８  第１ラッチ
１１０  第２ラッチ
１１２  ループ経路
１１４  位相差検出部
２０１  直交変調器
２０２  ローカル信号生成部
２０４  バイアス調整部
２０６  信号出力部
２０８  第１乗算部
２１０  第２乗算部
２１２  合成部
２１４  デューティー比検出部
３０１  直交復調器
３０２  ローカル信号生成部
３０４  バイアス調整部
３０６  信号出力部
３０８  第１乗算部
３１０  第２乗算部
【図１】
2009105508.tif 000003
【図２】
2009105508.tif 000004
【図３】
2009105508.tif 000005
【図４】
2009105508.tif 000006
【図５】
2009105508.tif 000007